(57)【要約】【課題】  スイッチの切り替わり後に、更にスライド部材を移動させることを可能とし、操作量を大きく確保でき、使い勝手の良いスイッチ装置を提供する。【解決手段】  第１の固定接点２が配設された基台１と、基台１にスライド移動可能に収容されたスライド部材７と、スライド部材７を一方向へ付勢する弾性部材９と、スライド部材７のスライド方向への移動に伴い、スライド部材７と当接してこれと直交する方向に移動可能な駆動板６と、駆動板６に押圧され、第１の固定接点２と接離する可動接点４とを備え、駆動板６を、スライド部材７と可動接点４との間に配置して基台１に回動可能に保持し、駆動板６の回動により可動接点４を押圧して第１の固定接点２と接触させると共に、駆動板６に、可動接点４の押圧後に、可動接点４と第１の固定接点２との接触を維持させた状態で、更にスライド部材７がスライド方向へ移動するのを許容する摺動部６ｇを設けた。【選択図】        図５
2007157644.tif 000002
【特許請求の範囲】
【請求項１】
第１の固定接点が配設された基台と、この基台にスライド移動可能に収容されたスライド部材と、このスライド部材を一方向へ付勢する弾性部材と、前記スライド部材のスライド方向への移動に伴い、該スライド部材と当接してこれと直交する方向に移動可能な駆動板と、この駆動板に押圧され、前記第１の固定接点と接離する可動接点とを備え、前記駆動板を、前記スライド部材と前記可動接点との間に配置して前記基台に回動可能に保持し、この駆動板の回動により前記可動接点を押圧して前記第１の固定接点と接触させると共に、前記駆動板に、前記可動接点の押圧後に、前記可動接点と前記第１の固定接点との接触を維持させた状態で、更に前記スライド部材がスライド方向へ移動するのを許容する摺動部を設けたことを特徴とするスイッチ装置。
【請求項２】
前記可動接点の押圧後に、前記スライド部材が前記摺動部を摺動してスライド方向へ移動する際に操作可能な第２のスイッチ部を設けたことを特徴とする請求項１記載のスイッチ装置。
【請求項３】
前記第２のスイッチ部は、前記基台に設けられた第２の固定接点と、前記スライド部材によってスライド操作される摺動接点から形成したことを特徴とする請求項２記載のスイッチ装置。
【請求項４】
前記可動接点の押圧後に、前記スライド部材が前記摺動部を摺動してスライド方向へ移動する際に生起するクリック発生部を設けたことを特徴とする請求項１乃至３の何れかに記載のスイッチ装置。
【請求項５】
前記可動接点を反転可能な膨出部を有するドーム状の反転ばねで形成し、前記摺動接点を弾性を有する長片状の板ばねで形成し、前記第２のスイッチ部を構成する前記第２の固定接点を前記第１の固定接点のスライド方向後方に配置すると共に、前記長片状の板ばねを前記ドーム状の反転ばねの周縁上方に配置したことを特徴とする請求項２乃至４の何れかに記載のスイッチ装置。
【発明の詳細な説明】
【技術分野】
【０００１】
本発明は、各種電子機器の操作用スイッチとして使用される薄型の横押しタイプのスイッチ装置に関する。
【背景技術】
【０００２】
従来の横押しタイプのスイッチ装置としては、開口を有するハウジングと、該開口の内底部に設けられた固定接点と、該固定接点上に配置された可動接点と、この可動接点上に設けられ、ポリイミド等からなる防塵用シートと、該シートを介して可動接点を作動させる操作部材と、ハウジングの上部に取付けられ、開口を覆う蓋体とから構成されたものが知られている（例えば、特許文献１参照）。
【０００３】
従来のスイッチ装置を図７、図８に示す。図７は従来のスイッチ装置の分解斜視図、図８は従来のスイッチ装置の要部断面図である。
図において、固定接点１２、１３は、インサート成形によりハウジング１１と一体的に形成され、該固定接点１２、１３からそれぞれ導出された外部端子１２ａ、１３ａを有する。また。ハウジング１１は、四隅よりそれぞれ上方へ突出する突起２０と、操作部材１６を案内する案内部２１と、一方の側端より上方へ突出する壁部２２と、他方の側端より外方へ突出するブロック部２３と、該他方の側端の突起２０よりそれぞれ外方へ突出し、ふた体１７を係止する係止部２４、２５とを備えている。
【０００４】
可動接点１４は、弾性を有する薄肉金属板からなり、ハウジング１１の開口１０内に配置される。この可動接点１４は、操作部材１６の移動方向と平行な２本の切欠き２６を有し、周辺部２７が固定接点１２と常時接触するとともに、中央部２８が上方へ湾曲した状態で他の固定接点１３上に位置する。防塵用シート１５は、周囲がハウジング１１の上面１１ａに載置され、このシート１５上に操作部材１６が載置される。
【０００５】
蓋体１７は、突起２０とそれぞれ係合する切り欠き３０と、ハウジング１１の上面１１ａおよび案内部２１の上端に当接する壁部３１と、係止部２４、２５にそれぞれ係合する一対の腕部３２を備えている。また、ふた体１７は、中央部よりハウジング１１内側に切り起こされ、可動接点１４の中央部２８と対向する傾斜片３３を備える。この傾斜片３３は、操作部材１６の移動方向と平行な一対の切り欠きを設け、この切り欠き間の長方形部分の壁部２２側の端部を切り落して、下方にＶ字状に折り曲げるようになっている。
【０００６】
操作部材１６は、傾斜片３３および可動接点１４の中央部２８間に介設された作動部３４と、この作動部３４の側方に設けられ、案内部２１上を摺動するガイド部３５と、ハウジング１１より外方へ突出する押圧部３６とからなる。作動部３４は、薄肉部３４ａを介して押圧部３６に連結され、弾性を有している。ガイド部３５の上面には、ふた体１７の裏面を摺動する一対のガイド用突起３７が設けられ、同様にガイド部３５の下面にも、一対のガイド用突起３８が設けられる。また、作動部３４およびガイド部３５によって形成される開口３９には、傾斜片３３が係合する。
【０００７】
本実施例では、組み立て時、ハウジング１１上に可動接点１４を載置し、この可動接点１４上をシート１５で覆い、このシート１５の周囲をハウジング１１の上面１１ａに貼り付ける。次いで、該シート１５上に操作部材１６を配置した後、蓋体１７を把持してハウジング１１上に載置する。このとき、四隅の切欠き３０に突起２０をそれぞれ嵌め込み、壁部３１をハウジング１１の上面１１ａおよび案内部２１の上端に当接させるとともに、腕部３２を係止部２４、２５にそれぞれ係止させる。
【０００８】
本実施例の動作としては、操作部材１６の押圧部３６を図２の左方向へ押圧すると、傾斜片３３上を操作部材１６の作動部３４が摺動することにより案内され、作動部３４が薄肉部３４ａで弾性変形しながら図２の反時計方向へ回動して、この作動部３４の先端がシート１５を介して可動接点１４の中央部２８を押圧する。これによって、中央部２８は下方へ反転して固定接点１３と接触してスイッチ・オンの状態となる。
【０００９】
次いで、押圧部３６の押圧状態を解除すると、薄肉部３４ａ自体の弾発力により作動部３４が図２の時計方向に回動しながら傾斜片３３上を摺動することにより、操作部材１６が図２の右方向へスライドして初期状態に復帰する。また、作動部３４の回動に伴い、可動接点１４の中央部２８も弾発力により上方へ反転して固定接点１３より離隔し、スイッチ・オフとなる。
【００１０】
【特許文献１】実用新案登録第２５７２５９０号公報
【発明の開示】
【発明が解決しようとする課題】
【００１１】
しかしながら、上述した従来のスイッチ装置においては、蓋体に設けた傾斜片によってスライド部材の一部を直交する方向に案内して可動接点を押圧する構造のため、スイッチが切り替わった後に、更にスライド部材を移動させることができないため、操作量が小さく単一の切り換え接点しか配置できないという問題があった。
【００１２】
従って、本発明は上記した問題点を解決し、スイッチの切り替わり後に、更にスライド部材を移動させることを可能とし、操作量を大きく確保でき、使い勝手の良いスイッチ装置を提供することを目的とする。
【課題を解決するための手段】
【００１３】
上記課題を解決するために本発明では第１の解決手段として、第１の固定接点が配設された基台と、この基台にスライド移動可能に収容されたスライド部材と、このスライド部材を一方向へ付勢する弾性部材と、前記スライド部材のスライド方向への移動に伴い、該スライド部材と当接してこれと直交する方向に移動可能な駆動板と、この駆動板に押圧され、前記第１の固定接点と接離する可動接点とを備え、前記駆動板を、前記スライド部材と前記可動接点との間に配置して前記基台に回動可能に保持し、この駆動板の回動により前記可動接点を押圧して前記第１の固定接点と接触させると共に、前記駆動板に、前記可動接点の押圧後に、前記可動接点と前記第１の固定接点との接触を維持させた状態で、更に前記スライド部材がスライド方向へ移動するのを許容する摺動部を設けた構成とした。
また、第２の解決手段として、前記可動接点の押圧後に、前記スライド部材が前記摺動部を摺動してスライド方向へ移動する際に操作可能な第２のスイッチ部を設けた構成とした。
【００１４】
また、第３の解決手段として、前記第２のスイッチ部は、前記基台に設けられた第２の固定接点と、前記スライド部材によってスライド操作される摺動接点から形成した構成とした。
また、第４の解決手段として、前記可動接点の押圧後に、前記スライド部材が前記摺動部を摺動してスライド方向へ移動する際に生起するクリック発生部を設けた構成とした。
また、第５の解決手段として、前記可動接点を反転可能な膨出部を有するドーム状の反転ばねで形成し、前記摺動接点を弾性を有する長片状の板ばねで形成し、前記第２のスイッチ部を構成する前記第２の固定接点を前記第１の固定接点のスライド方向後方に配置すると共に、前記長片状の板ばねを前記ドーム状の反転ばねの周縁上方に配置した構成とした。
【発明の効果】
【００１５】
上述したように、本発明のスイッチ装置は、第１の固定接点が配設された基台と、基台にスライド移動可能に収容されたスライド部材と、スライド部材を一方向へ付勢する弾性部材と、スライド部材のスライド方向への移動に伴い、スライド部材と当接してこれと直交する方向に移動可能な駆動板と、駆動板に押圧され、第１の固定接点と接離する可動接点とを備え、駆動板を、スライド部材と可動接点との間に配置して基台に回動可能に保持し、駆動板の回動により可動接点を押圧して第１の固定接点と接触させると共に、駆動板に、可動接点の押圧後に、可動接点と第１の固定接点との接触を維持させた状態で、更にスライド部材がスライド方向へ移動するのを許容する摺動部を設けたことから、可動接点が押圧されて固定接点とオンした後でも、更にスライド部材をスライド移動できるので、スイッチの操作量を大きく確保できるため、操作性が向上され、使い勝手の良いスイッチ装置を提供できる。
また、可動接点の押圧後に、スライド部材が摺動部を摺動してスライド方向へ移動する際に操作可能な第２のスイッチ部を設けたことから、一つのスイッチ装置で複数の入力が行える２段スイッチが簡単に得られる。
【００１６】
また、第２のスイッチ部は、基台に設けられた第２の固定接点と、スライド部材によってスライド操作される摺動接点から形成したことから、複雑な構造を必要とせずに第２のスイッチ部を簡単に構成できる。
また、可動接点の押圧後に、スライド部材が摺動部を摺動してスライド方向へ移動する際に生起するクリック発生部を設けたことから、第２のスイッチ部の入力時にもクリック感触が得られるので、２段スイッチのそれぞれのオン時が的確に確認でき、操作性が良好となる。
また、可動接点を反転可能な膨出部を有するドーム状の反転ばねで形成し、摺動接点を弾性を有する長片状の板ばねで形成し、第２のスイッチ部を構成する第２の固定接点を第１の固定接点のスライド方向後方に配置すると共に、長片状の板ばねをドーム状の反転ばねの周縁上方に配置したことから、２段スイッチの構造においても１段目の可動接点と２段目の摺動接点を重ねて配置したので、スイッチを大きくすることなく、小型化が図れる。
【発明を実施するための最良の形態】
【００１７】
以下、本発明の実施の形態を図１乃至図６に示す。図１は本発明のスイッチ装置を示す分解斜視図、図２は本発明のスイッチ装置を示す平面図、図３は本発明のスイッチ装置の初期状態を示す断面図、図４は本発明のスイッチ装置の１段目オン状態を示す断面図、図５は本発明のスイッチ装置のカバーを除いた状態を示す要部断面斜視図、図６は本発明のスイッチ装置の駆動部の組み込み状態を示す底面図である。
【００１８】
図１に示すように、本発明のスイッチ装置は、開口部を有し複数の固定接点２、３が配設された基台１と、複数の固定接点２、３と接離する可動接点４及び摺動接点８と、可動接点４を固定接点２上に保持するシート部材５と、回動可能に設けられ可動接点４を押圧する駆動板６と、摺動接点８が設けられ駆動板６を回動させると共に、基台１にスライド移動可能に収容されたスライド部材７と、スライド部材７を一方向に付勢する弾性部材９と、基台１の開口部の上面側を覆うカバー１０とから主に構成されている。
【００１９】
基台１は、合成樹脂等の絶縁材で形成され、上面及び一側面が開口されて内部に収納部１ａ、側面に開口部１ｂを有する略矩形状の箱型に形成されている。また、収納部１ａの開口部１ｂ側の対向する内壁面には、一対の凹部１ｃ、１ｃが設けられており、この凹部１ｃ、１ｃに駆動板６が係合されるものとなっている。また、収納部１ａの内底面には、段差を有する円形状でやや大径の第１凹溝部１ｄが設けられ、この第１凹溝部１ｄの内側には、さらに段差を有する略円形状でやや小径の第２凹溝部１ｅが設けられている。また、この第２凹溝部１ｅの周縁部の対向する位置に外方へ突出した一対の方形状の第３凹溝部１ｆ、１ｆが設けられている。
【００２０】
また、第２凹溝部１ｅの中央には、導電性の金属板からなる第１の固定接点２を構成する第１個別固定接点２ｂがその一部を表出して埋設されており、その他端側は基台１の開口部１ｂとは直交する一方の側面の外方に導出されて接続端子２ｃが設けられている。また、第３凹溝部１ｆ、１ｆには、第１個別固定接点２ｂを挟んで対向する位置に、同じく導電性の金属板からなる第１の固定接点２を構成する第１共通固定接点２ａ、２ａがその一部を表出してそれぞれ埋設されており、その他端側は基台１の内底部で電気的に接続されて基台１の開口部１ｂとは直交する他の側面の外方に導出されて接続端子２ｄが設けられている。
【００２１】
また、第１の固定接点２のスライド方向後方に位置する収納部１ａの開口部１ｂと対向する側面の内壁面の近傍の内底面には、同じく導電性の金属板からなる第２の固定接点３を構成する第２共通固定接点３ａ及び第２個別固定接点３ｂがその一部を表出して埋設されている。この第２の固定接点３は、第２共通固定接点３ａが基台１の内底部において第１の固定接点２の第１共通固定接点２ａと電気的に接続されており、基台１の開口部１ｂとは直交する他の側面の外方に導出された接続端子２ｄと電気的に導通されている。また、第２個別固定接点３ｂはその他端側が基台１の開口部１ｂとは対向する側面の外方に導出されて接続端子３ｃが設けられている。
【００２２】
また、基台１の底面の四角部には、それぞれ係合凹部１ｇが設けられており、この係合凹部１ｇに、後述するカバー１０の係止脚部１０ｂが係合されることにより、基台１の上面側にカバー１０が装着されるものとなっている。
【００２３】
可動接点４は、導電性の薄板金属板からなり、円形で中央に反転可能な膨出部４ａを有するドーム状の反転ばねで形成されている。この可動接点４は、基台１の収納部１ａに設けられた略円形状の第２凹溝部１ｅに収容されており、中央の膨出部４ａ頂部が第２凹溝部１ｅの中央に表出された第１個別固定接点と対向すると共に、円形状の外周縁部４ｂの一部がこの第２凹溝部１ｅの周縁部の対向する位置に設けられた方形状の第３凹溝部１ｆ、１ｆに表出された第１共通固定接点２ａ、２ａに導通されて載置されている。そして、この可動接点４と第１の固定接点２を構成する第１共通固定接点２ａ及び第１個別固定接点２ｂとで第１のスイッチ部が構成されている。
【００２４】
シート部材５は、ポリイミド等からなる樹脂シートで、円形状に形成されている。このシート部材５は、基台１の収納部１ａに設けられた円形状の第１凹溝部１ｄに収容され、可動接点４と第１の固定接点２を構成する第１共通固定接点２ａ及び第１個別固定接点２ｂの上面側を覆うように載置されており、このシート部材５により、防塵された状態で可動接点４が第２凹溝部１ｅ内に保持されている。この場合、シート部材５の周端部５ａに粘着剤を塗布して、可動接点４の上面側から第１凹溝部１ｄに貼着するようにしても良い。
【００２５】
駆動板６は、平板状の金属板等を打ち抜き折り曲げて形成され、略Ｔ字状に形成されており、両翼部６ｂ、６ｂを有する平板状の基部６ａと、基部６ａの中央から両翼部６ｂ、６ｂの延出方向とはとは直交する方向に突出された操作片６ｃとを有している。また、基部６ａの中央には、操作片６ｃとは対向する方向に向けて略Ｌ字状に切り起こして立設されたばね受け部６ｄが設けられ、このばね受け部６ｄを挟んで両翼部６ｂ、６ｂには、上方に直角に折り曲げられて同一平面上に立設された回動支持部６ｅ、６ｅが設けられている。また、操作片６ｃには、初期状態でスライド部材７の一部が当接される窪み部からなる保持凹部６ｆが設けられており、この保持凹部６ｆの先端側には基部６ａと同一平面からなる平面状の摺動部６ｇが設けられている。
【００２６】
この駆動板６は、ばね受け部６ｄに、スライド部材７に一端側が係合された弾性部材９の他端側が係合されると共に、基部６ａの両翼部６ｂ、６ｂが、基台１の収納部１ａの開口部１ｂ側の対向する内壁面に設けられた一対の凹部１ｃ、１ｃに係合され、回動支持部６ｅ、６ｅを支点とし回動可能に保持されている。また、この時、駆動板６はシート部材５を介して可動接点４の上面側に配置されており、可動接点４の膨出部４ａ頂部の上面と操作片６ｃの保持凹部６ｆの底部とが、シート部材５を介して当接されている。
【００２７】
スライド部材７は、合成樹脂等の絶縁材で略矩形状に形成されており、やや幅広のスライド部７ａとやや幅狭の操作部７ｂとを有しており、その中央に段差部からなる一対の係止部７ｃ、７ｃが設けられている。また、スライド部７ａ中央には、角孔７ｄが設けられており、スライド部材７がスライド移動するのに伴って、駆動板６の操作片６ｃの摺動部６ｇが角孔７ｄ内に出入りするようになっている。また、操作部７ｂ中央にも長細状の角孔７ｅが設けられている。この角孔７ｅの一端側（図５では右側）の内壁にはばね係止部７ｆが設けられており、また、他端側（図５で左側）の内壁近傍には駆動板６のばね受け部６ｄが挿入されており、角孔７ｅには、ばね係止部７ｆとばね受け部６ｄとの間に弾性を有するコイルばねからなる弾性部材９が係合されている。
【００２８】
また、図５に示すように、スライド部材７の下面側には、角孔７ｄに隣接して下方へ突出する駆動突起７ｇが設けられており、この駆動突起７ｇが下面側に配設された駆動板６の保持凹部６ｆと当接している。また、図６に示すように、スライド部材７の下面側には、導電性の薄板金属板からなる摺動接点８が係合されている。この摺動接点８は、平板状の固定部８ａと、下方に屈曲され弾性を有する一対の長片状のばね片８ｂ、８ｂを有する板ばねで形成されており、固定部８ａがスライド部材７下面に設けられたボス７ｈにかしめ等の方法で固着されている。
【００２９】
スライド部材７が、基台１の収納部１ａに収容された状態では、摺動接点８の一対の長片状のばね片８ｂ、８ｂはドーム状の反転ばねからなる可動接点４の周縁上方にそれぞれ対向して配置されている。そして、この摺動接点８と第２の固定接点３を構成する第２共通固定接点３ａ及び第３個別固定接点３ｂとで第２スイッチ部が構成されている。
このように、第２のスイッチ部を、基台１に設けられた第２の固定接点３と、スライド部材７によってスライド操作される摺動接点８から形成したので、複雑な構造を必要とせずに第２のスイッチ部を簡単に構成できる。また、長片状のばね片８ｂからなる摺動接点８をドーム状の反転ばねからなる可動接点４の周縁上方に配置したことから、１段目の可動接点４と２段目の摺動接点８を重ねて配置したので、スイッチを大きくすることなく小型化が図れるものとなる。
【００３０】
このスライド部材７は、基台１の収納部１ａにスライド部７ａがスライド移動可能に収容されると共に、操作部７ｂが弾性部材９の弾圧力によって収納部１ａの開口部１ｂから突出する方向へ付勢されている。この時、スライド部材７は、図５及び図６に示すように、中央に設けられた段差部からなる一対の係止部７ｃ、７ｃが、基台１の収納部１ａ内壁面に設けられた一対の凹部１ｃ、１ｃに係合された駆動板６の両翼部６ｂ、６ｂの回動支持部６ｅ、６ｅに当接されており、それ以上の突出が規制されている。
【００３１】
カバー１０は、平板状の金属板からなり、略矩形状の蓋部１０ａと、四角部から下方へ屈曲された複数の係合脚部１０ｂとを有している。また、蓋部１０ａにはコ字状の窓孔１０ｃが設けられ、この窓孔１０ｃの中央には長尺状の舌片１０ｄが設けられている。このカバー１０が基台１の上面側に載置されて、複数の係合脚部１０ｂの先端部が、基台１の底面の四角部に設けられた係合凹部１ｇにかしめ等の方法で折り曲げられて係合されることにより、カバー１０が基台１の収納部１ａの上面側に装着されている。この時、蓋体１０ａに設けられた舌片１０ｄの弾性によって、スライド部材４を基台１の収納部１ａ内底面側へ付勢することにより、第１及び第２スイッチ部の確実な切り換えが行われる。
【００３２】
尚、この場合、図示はしないが、スライド部材４の下面側と収納部１ａの内底面側の対向する位置に、凹凸部等からなるクリック用のカム部（クリック発生部）を形成することにより、第１のスイッチ部を構成する可動接点４の押圧後に、スライド部材４が駆動板６の摺動部６ｇを摺動してスライド方向へ移動する際にクリック感触が得られるようにすることができる。この場合には、第２のスイッチ部の入力時にもクリック感触が得られるので、２段スイッチのそれぞれのオン時が的確に確認でき、操作性が良好となる。
【００３３】
次に、図３乃至図６を用いて本発明のスイッチ装置の動作を説明する。
まず、図３に示す初期状態では、スライド部材７は弾性部材９の弾圧力により図示右方向へ付勢されている。この時、スライド部材７の駆動突起７ｇは駆動板６の保持凹部６ｆに当接しており、駆動板６は第１のスイッチ部の可動接点４の膨出部４ａが有する弾圧力により上方へ付勢され、可動接点４の膨出部４ａ頂部は第１の固定接点２の第１個別固定接点２ｂとは離間しており、第１のスイッチ部はオフ状態となっている。
【００３４】
次に、図４に示すように、スライド部材７を図示左方向（矢印Ａ方向）へ押圧操作すると、弾性部材９の付勢力に抗してスライド部材７が左方向に移動し、駆動突起７ｇが駆動板６の保持凹部６ｆから外れて先端側の摺動部６ｇに乗り上げるものとなる。この時、駆動板６は回動支持部６ｅ、６ｅを支点とし反時計方向（図４では下側）に回動し、保持凹部６ｆの底部がシート部材５を介して可動接点４の膨出部４ａを押圧することにより膨出部４ａが下方へ反転し、膨出部４ａ頂部が第１個別固定接点２ｂと接触して、第１個別固定接点２ｂと第１共通固定接点２ａが可動接点４を介して電気的に導通され第１のスイッチ部がオン状態となる。また、この時、可動接点４の膨出部４ａが反転することによりクリック感触が得られる。
【００３５】
尚、この時、図４では第２の固定接点３を構成する第２個別固定接点３ｂと摺動接点８のばね片８ｂとが、断面位置の関係で互いに接触したように示されているが、実際には、互いにスライド移動方向と直交する方向（図４では奥行き方向）にずれて配置されており、第２のスイッチ部はオフ状態となっている。
【００３６】
次に、図示はしないが、この状態から、更にスライド部材７を左方向（図４では左方向）に押圧操作すると、更に弾性部材９の付勢力に抗してスライド部材７が左方向に移動し、スライド部材７の駆動突起７ｇが駆動板６の摺動部６ｇの面上を摺動する。この時、駆動板６は回動されずに、可動接点４が駆動板６の保持凹部６ｆの底部により押圧された状態が維持されるので、第１のスイッチ部はオン状態を維持している。
【００３７】
そして、スライド部材７の下面側に固着された摺動接点８が、スライド部材７に従動して左方向へ移動され、摺動接点８の一対のばね片８ｂ、８ｂが、第１スイッチ部のスライド方向後方に位置する収納部１ａの内壁面の近傍の内底面に設けられた、第２のスイッチ部を構成する第２共通固定接点３ａ及び第２個別固定接点３ｂと接触して、第２共通固定接点３ａと第２個別固定接点３ｂが摺動接点８介して電気的に導通され第２のスイッチ部がオン状態となる。この時、スライド部材７及び収納部１ａの内底面に上述したクリック発生部を設けるようにすれば、第２のスイッチ部の入力時にもクリック感触が得られるものとなる。
【００３８】
上記した本発明の実施例によれば、スライド部材７のスライド移動で駆動する駆動板６を、スライド部材７と可動接点４との間に配置して、基台１に回動可能に保持し、この駆動板６の回動により可動接点４を押圧して第１の固定接点２と接触させると共に、この駆動板６に、可動接点４の押圧後に、この可動接点４と第１の固定接点２との接触を維持させた状態で、更にスライド部材７がスライド方向へ移動するのを許容する平板状の摺動部６ｇを設けるようにしたので、可動接点４が押圧されて第１の固定接点２とオンした後でも、更にスライド部材７をスライド移動できるので、スイッチの操作量を大きく確保できるため、操作性が向上され、使い勝手の良いスイッチ装置を提供できるものとなっている。
また、可動接点４の押圧後に、第１のスイッチ部がオンした状態のまま、スライド部材７の駆動突起７ｇが駆動板６の平板状の摺動部６ｇを摺動してスライド方向へ移動する際に、操作可能な第２のスイッチ部を設けたことから、一つのスイッチ装置で複数の入力が行える２段スイッチが簡単に得られるものとなっている。
【図面の簡単な説明】
【００３９】
【図１】本発明のスイッチ装置を示す分解斜視図である。
【図２】本発明のスイッチ装置を示す平面図である。
【図３】本発明のスイッチ装置の初期状態を示す断面図である。
【図４】本発明のスイッチ装置の１段目オン状態を示す断面図である。
【図５】本発明のスイッチ装置のカバーを除いた状態を示す要部断面斜視図である。
【図６】本発明のスイッチ装置の駆動部の組み込み状態を示す底面図である。
【図７】従来のスイッチ装置を示す分解斜視図である。
【図８】従来のスイッチ装置を示す要部断面図である。
【符号の説明】
【００４０】
１：基台
１ａ：収納部
１ｂ：開口部
１ｃ：凹部
１ｄ：第１凹溝部
１ｅ：第２凹溝部
１ｆ：第３凹溝部
１ｇ：係合凹部
２：第１の固定接点
２ａ：第１共通固定接点
２ｂ：第１個別固定接点
２ｃ：接続端子
２ｄ：接続端子
３：第２の固定接点
３ａ：第２共通固定接点
３ｂ：第２個別固定接点
３ｃ：接続端子
４：可動接点
４ａ：膨出部
４ｂ：外周縁部
５：シート部材
５ａ：周端部
６：駆動板
６ａ：基部
６ｂ：翼部
６ｃ：操作片
６ｄ：ばね受け部
６ｅ：回動支持部
６ｆ：保持凹部
６ｇ：摺動部
７：スライド部材
７ａ：スライド部
７ｂ：操作部
７ｃ：係止部
７ｄ：角孔
７ｅ：角孔
７ｆ：ばね係止部
７ｇ：駆動突起
７ｈ：ボス
８：摺動接点
８ａ：固定部
８ｂ：ばね片
９：弾性部材
１０：カバー
１０ａ：蓋部
１０ｂ：係合脚部
１０ｃ：窓孔
１０ｄ：舌片
【図１】
2007157644.tif 000003
【図２】
2007157644.tif 000004
【図３】
2007157644.tif 000005
【図４】
2007157644.tif 000006
【図５】
2007157644.tif 000007
【図６】
2007157644.tif 000008
【図７】
2007157644.tif 000009
【図８】
2007157644.tif 000010